(57)【要約】      （修正有）【課題】両刃部の刃裏の形態を改良して、糊やテープなどの粘着性を有する被切断物を切断する際に、刃先部の刃裏面に対する被切断物の粘着物の付着を防止して、両刃部の開閉を円滑に行うことができる鋏を提供する。【解決手段】互いに開閉可能に支持した一対の刀身１，２に設けた刃部６，７で相対向する刃裏には、互いにかみ合う刃縁９ａを刃裏面９に有する刃縁突条部８と、背縁１１ａを刃裏面１１に有する背縁突条部１０と、その刃縁突条部８と背縁突条部１０との間の溝部１２とをそれぞれ基端部から先端部にわたり延設し、この刃部６，７の先端部における刃先部１４で刃縁突条部８の刃裏面９と背縁突条部１０の刃裏面１１とを互いに分断して、刃縁突条部８の端部と背縁突条部１０の端部との間で溝部１２を開放する切欠部１５を形成した。【選択図】図１
0003186381.tif 000002
【実用新案登録請求の範囲】
【請求項１】
互いに開閉可能に支持した一対の刀身に設けた刃部において相対向する刃裏には、互いにかみ合う刃縁を刃裏面に有する刃縁突条部と、背縁を刃裏面に有する背縁突条部と、その刃縁突条部と背縁突条部との間の溝部とをそれぞれ基端部から先端部にわたり延設し、この刃部の先端部における刃先部で刃縁突条部の刃裏面と背縁突条部の刃裏面とを互いに分断して、刃縁突条部の端部と背縁突条部の端部との間で溝部を開放する切欠部を形成したことを特徴とする鋏。
【請求項２】
前記刃縁突条部は刃部の基端部と先端部との間で刃裏面及びその刃縁とともに連続して形成されていることを特徴とする請求項１に記載の鋏。
【請求項３】
前記両刀身を互いに回動可能に支持した開閉支持部より基端側で両刀身に柄部を設けるとともに、その開閉支持部より先端側で両刀身に刃部を設けたことを特徴とする請求項１または請求項２に記載の鋏。
【考案の詳細な説明】
【技術分野】
【０００１】
本考案は、一対の刀身を互いに開閉可能に支持した鋏において、その両刀身に設けた刃部で相対向する刃裏の形態の改良に関するものである。
【背景技術】
【０００２】
従来、特許文献１に記載の鋏において、互いに開閉可能に支持した一対の刀身（鋏身）に設けた刃部（動刃、静刃）で相対向する刃裏には、互いにかみ合う刃縁を有する刃縁突条部と、背縁を有する背縁突条部と、その刃縁突条部と背縁突条部との間の溝部とをそれぞれ基端部から先端部にわたり延設し、この刃部の先端部で刃縁突条部と背縁突条部とを刃先部で互いに連続してつないで、この溝部の周囲を刃縁突条部と背縁突条部と刃先部とで囲っている。
【先行技術文献】
【特許文献】
【０００３】
【特許文献１】特開２０１０−２６４２２９号公報
【考案の概要】
【考案が解決しようとする課題】
【０００４】
特許文献１に記載の鋏における両刃部では、刃縁突条部の刃裏面と背縁突条部の刃裏面とが刃先部の刃裏面で互いに連続して、刃先部で刃裏面の面積が広くなっているので、糊やテープなどの粘着性を有する被切断物を、両刃部の開閉に伴い両刃部の刃裏面を互いに摺接させて切断する際に、刃先部の刃裏面に被切断物の粘着物が付着し易くなって、両刃部の円滑な開閉を損なうおそれがあった。
【０００５】
本考案は、両刃部の刃裏の形態を改良して、糊やテープなどの粘着性を有する被切断物を切断する際に、刃先部の刃裏面に対する被切断物の粘着物の付着を防止して、両刃部の開閉を円滑に行うことができる鋏を提供することを目的としている。
【課題を解決するための手段】
【０００６】
後記実施形態の図面（図１〜４）の符号を援用して本考案を説明する。
請求項１の考案にかかる鋏において、一対の刀身（１，２）は互いに開閉可能に支持され、その両刀身（１，２）に設けた刃部（６，７）で相対向する刃裏には、互いにかみ合う刃縁（９ａ）を刃裏面（９）に有する刃縁突条部（８）と、背縁（１１ａ）を刃裏面（１１）に有する背縁突条部（１０）と、その刃縁突条部（８）と背縁突条部（１０）との間の溝部（１２）とをそれぞれ基端部から先端部にわたり延設し、この刃部（６，７）の先端部における刃先部（１４）で刃縁突条部（８）の刃裏面（９）と背縁突条部（１０）の刃裏面（１１）とを互いに分断して、刃縁突条部（８）の端部と背縁突条部（１０）の端部との間で溝部（１２）を開放する切欠部（１５）を形成した。
【０００７】
請求項１の考案では、刃縁突条部（８）の刃裏面（９）と背縁突条部（１０）の刃裏面（１１）とを切欠部（１５）で分断して、刃部（６，７）の刃先部（１４）で刃裏面（９，１１）の面積を狭くしているので、糊やテープなどの粘着性を有する被切断物を、両刃部（６，７）の開閉に伴い両刃部（６，７）の刃裏面（９，１１）を互いに摺接させて切断する際、刃部（６，７）の刃先部（１４）で刃裏面（９，１１）に被切断物の粘着物が付着しにくくなる。
【０００８】
請求項１の考案を前提とする請求項２の考案において、前記刃縁突条部（８）は刃部（６，７）の基端部と先端部との間で刃裏面（９）及びその刃縁（９ａ）とともに連続して形成されている。請求項２の考案では、両刃部（６，７）において刃裏面（９）及びその刃縁（９ａ）のかみ合いを円滑に行うことができる。
【０００９】
請求項１または請求項２の考案を前提とする請求項３の考案において、前記両刀身（１，２）を互いに回動可能に支持した開閉支持部（３）より基端側で両刀身（１，２）に柄部（４，５）を設けるとともに、その開閉支持部（３）より先端側で両刀身（１，２）に刃部（６，７）を設けた。請求項３の考案では、両刀身（１，２）を開閉支持部（３）でＸ状に交差させて互いに回動可能に支持した洋鋏において、請求項１または請求項２の考案の効果を発揮させることができる。
【考案の効果】
【００１０】
本考案にかかる鋏においては、糊やテープなどの粘着性を有する被切断物を切断する際に、刃先部（１４）の刃裏面（９，１１）に対する被切断物の粘着物の付着を防止して、両刃部（６，７）の開閉を円滑に行うことができる。
【図面の簡単な説明】
【００１１】
【図１】（ａ）は鋏を閉じた状態を示す正面図であり、（ｂ）は鋏を開いた状態を示す正面図である。
【図２】（ａ）は鋏を閉じた状態を示す背面図であり、（ｂ）は鋏を開いた状態を示す背面図である。
【図３】図１（ａ）のＡ−Ａ線拡大断面図である。
【図４】（ａ）は鋏の一方の刃部の先端部を示す部分斜視図であり、（ｂ）は鋏の他方の刃部の先端部を示す部分斜視図である。
【考案を実施するための形態】
【００１２】
以下、本考案の一実施形態にかかる鋏について図面を参照して説明する。
図１及び図２に示す洋鋏においては、一対の刀身１，２が開閉支持部３によりＸ状に交差されて互いに回動可能に支持され、その開閉支持部３により基端側で両刀身１，２に柄部４，５が設けられているとともに、その開閉支持部３より先端側で両刀身１，２に刃部６，７が設けられている。
【００１３】
両刀身１，２の刃部６，７において図３にも示すように相対向する刃裏には、互いにかみ合う刃縁９ａを刃裏面９に有する刃縁突条部８と、背縁１１ａを刃裏面１１に有する背縁突条部１０と、その刃縁突条部８と背縁突条部１０との間の溝部１２とがそれぞれ基端部から先端部にわたり延設されている。刃縁突条部８は刃部６，７の基端部と先端部との間で刃裏面９及びその刃縁９ａとともに連続して形成されている。背縁突条部１０は刃部６，７の基端部と先端部との間で刃裏面１１及びその背縁１１ａとともに連続して形成されている。刃縁９ａ及び背縁１１ａは、いずれも、両刃部６，７の開閉方向Ｙで溝部１２から離れる向きへ膨らむ曲線状に形成されている。なお、両刃部６，７の刃表では溝部１２に対応して膨らむ膨出部１３が基端部から先端部にわたり延設されている。
【００１４】
図１（ｂ）及び図４（ａ）並びに図２（ｂ）及び図４（ｂ）に示すように、両刃部６，７の先端部で刃縁突条部８と背縁突条部１０とが互いに分断された刃先部１４においては、刃縁突条部８の端部と背縁突条部１０の端部との間で両側面１５ａ及び両側面１５ａ間の底面１５ｂにより囲まれた切欠部１５が形成され、溝部１２は刃部６，７の基端部と先端部とを結ぶ長手方向の外側へ切欠部１５により開放されている。
【００１５】
次に、洋鋏の開閉作用について説明する。
図１（ｂ）及び図２（ｂ）に示すように、両刀身１，２を互いに開いた状態では、一方の刃部６における刃縁突条部８の刃裏面９と他方の刃部７における刃縁突条部８の刃裏面９とがそれらの基端部で互いにかみ合っている。糊やテープなどの粘着性を有する被切断物をそれらの刃裏面９の刃縁９ａ間に当てがって両刃部６，７を次第に閉じると、両刃裏面９が互いに摺接しながら刃縁９ａにより被切断物が切断される。そして、被切断物の切断後、図１（ａ）及び図２（ａ）に示すように両刀身１，２が互いに閉じた状態では、両刃部６，７の刃先部１４で刃裏面９が切欠部１５以外の部分で互いに摺接して静止している。
【００１６】
この実施形態は下記の効果を有する。
（１）  両刀身１，２を開閉支持部３でＸ状に交差させて互いに回動可能に支持した洋鋏において、溝部１２により刃部６，７の刃裏面９，１１の面積を狭くしているので、糊やテープなどの粘着性を有する被切断物を、両刃部６，７の開閉に伴い両刃部６，７の刃裏面９，１１を互いに摺接させて切断する際、刃部６，７の刃裏面９，１１に被切断物の粘着物が付着しにくくなり、両刃部６，７の開閉を円滑に行うことができる。
【００１７】
（２）  特に、刃部６，７の刃先部１４で切欠部１５により刃裏面９，１１の面積を狭くしているので、刃先部１４の刃裏面９，１１に対する被切断物の粘着物の付着を防止して、両刃部６，７の開閉を円滑に行うことができる。
【００１８】
（３）  前記洋鋏において、両刀身１，２の刃部６，７で相対向する刃裏には、互いにかみ合う刃縁９ａを刃裏面９に有する刃縁突条部８と、背縁１１ａを刃裏面１１に有する背縁突条部１０と、その刃縁突条部８と背縁突条部１０との間の溝部１２とをそれぞれ基端部から先端部にわたり延設したので、溝部１２を刃部６，７に形成して、被切断物の切断の際に刃裏面９，１１に対する粘着物の付着を防止した場合でも、刃部６，７の剛性を高めて両刃部６，７による被切断物の切断を円滑に行うことができる。
【００１９】
前記実施形態以外にも例えば下記のように構成してもよい。
・  洋鋏ばかでなく、基端部から延びる柄部を介して刃部を設けた一対の刀身をその基端部でＶ状に交差させて互いに回動可能に支持した和鋏にも本考案を応用することができる。
【００２０】
・  刃部６，７の刃先部１４において切欠部１５の形態については、側面１５ａと両側面１５ａ間の底面１５ｂとで囲まれた断面コ字形状の切欠部１５以外に、底面１５ｂを省略した断面Ｖ字形状の切欠部１５など、種々変更することができる。
【００２１】
・  刃部の背縁突条部については、基端部と先端部との間で刃裏面及びその背縁とともに非連続で形成してもよい。
【符号の説明】
【００２２】
１，２…刀身、３…開閉支持部、４，５…柄部、６，７…刃部、８…刃縁突条部、９…刃裏面、９ａ…刃縁、１０…背縁突条部、１１…刃裏面、１１ａ…刃縁、１２…溝部、１４…刃先部、１５…切欠部。
【図１】
0003186381.tif 000003
【図２】
0003186381.tif 000004
【図３】
0003186381.tif 000005
【図４】
0003186381.tif 000006